(57)【要約】      （修正有）【課題】無効化状態を解除した後に再び無効化状態に設定する際の手間を抑えることができ、且つ、無効化状態の解除後により確実に無効化状態に復帰させやすい構成を提供する。【解決手段】給湯システムは、給湯器と、リモートコントローラとを備えており、更に、リモートコントローラでの操作に基づいて実行される複数の機能のうちの少なくとも一部の無効化対象機能を無効化する設定を行う無効化部を備えている。この無効化部は、無効化対象機能の無効化状態が解除された場合に、所定の時間条件が成立するまでは無効化対象機能の無効化解除状態を維持し、所定の時間条件の成立後に無効化対象機能を再び無効化する構成となっている。【選択図】図５
2016223714.tif 000002
【特許請求の範囲】
【請求項１】
給湯器と、
操作部を備え、前記給湯器に関する複数の機能を実行させる操作が可能とされたリモートコントローラと、
前記リモートコントローラでの操作に基づいて実行される複数の機能のうちの少なくとも一部の無効化対象機能を無効化する設定を行う無効化部と、
前記無効化部によって前記無効化対象機能が無効化されている場合に、前記操作部に対して所定の解除操作がなされることを条件として前記無効化対象機能の無効化状態を解除する解除部と、
を備え、
前記無効化部は、前記無効化対象機能の無効化状態が前記解除部によって解除された場合に、所定の時間条件が成立するまでは前記無効化対象機能の無効化解除状態を維持し、前記時間条件の成立後に前記無効化対象機能を再び無効化する構成である給湯システム。
【請求項２】
給湯器と、
操作部を備え、前記給湯器に関する複数の機能を実行させる操作が可能とされたリモートコントローラと、
前記リモートコントローラでの操作に基づいて実行される複数の機能のうちの少なくとも一部の無効化対象機能を無効化する設定を行う無効化部と、
前記無効化部によって前記無効化対象機能が無効化されている場合に、前記操作部に対して所定の解除操作がなされることを条件として、前記無効化対象機能の無効化状態を解除する解除部と、
を備え、
前記無効化対象機能の無効化状態が前記解除部によって解除された場合に、前記無効化部によって再び無効化の設定がなされるまでの間は、前記無効化対象機能の無効化解除状態が維持されるようになっており、
前記無効化部は、前記解除部によって前記無効化対象機能が前記無効化解除状態とされた後、前記操作部に対する操作が所定の解除時間を経過するまで行われない場合、又は前記無効化解除状態のときに前記操作部に対して操作がなされてから所定の解除時間を経過するまで前記操作部に対する次の操作が行われない場合、の少なくともいずれかの場合に前記無効化対象機能を再び無効化する構成である給湯システム。
【請求項３】
前記解除時間を設定する解除時間設定部と、
前記操作部に対する操作に基づいて前記解除時間設定部での設定内容を変更する設定変更部と、
を有する請求項２に記載の給湯システム。
【請求項４】
前記リモートコントローラが２以上設けられ、
各々の前記リモートコントローラには、他のコントローラに対する音声伝送を開始するための通話スイッチがそれぞれ設けられており、
前記無効化部は、前記通話スイッチを用いた音声伝送機能を前記無効化対象機能とせずに、前記音声伝送機能以外の一部又は全部の機能を前記無効化対象機能として無効化する構成である請求項１から請求項３のいずれか一項に記載の給湯システム。
【請求項５】
前記リモートコントローラでの前記操作部に対する操作により、前記給湯器で行われる所定動作を停止させる動作停止機能、及び前記給湯器の電源をオフ状態に切り替える電源オフ機能の少なくともいずれかを実行可能とされており、
前記無効化部は、前記動作停止機能及び前記電源オフ機能の少なくともいずれかの機能を前記無効化対象機能としないように外し、その外された機能以外の一部又は全部の機能を前記無効化対象機能として無効化する構成である請求項１から請求項４のいずれか一項に記載の給湯システム。
【請求項６】
前記リモートコントローラが２以上設けられ、
各々の前記リモートコントローラにおいて、前記無効化部による無効化設定を許可する許可モードと許可しない不許可モードとに切り替え可能とされており、
いずれかの前記リモートコントローラが前記不許可モードに切り替えられた場合、当該リモートコントローラの前記操作部に対して所定操作がなされたときに前記無効化対象機能が実行される構成であり、
いずれかの前記リモートコントローラが前記許可モードとされているときにおいて当該リモートコントローラの前記無効化対象機能が前記無効化部によって無効化されている場合、当該リモートコントローラの前記操作部に対して前記所定操作がなされたときに前記無効化対象機能が実行されない構成である請求項１から請求項５のいずれか一項に記載の給湯システム。
【発明の詳細な説明】
【技術分野】
【０００１】
本発明は、給湯システムに関するものである。
【背景技術】
【０００２】
従来から提案されている給湯システムとして、リモートコントローラによって給湯器の遠隔操作を行い得るようにしたシステムが知られている。この種のシステムでは、例えば、リモートコントローラに設定ボタンが設けられ、この設定ボタンを操作することで出湯温度や風呂温度などを所望の温度に設定することが可能となっている。
【先行技術文献】
【特許文献】
【０００３】
【特許文献１】特開平８−４７０６７号公報
【発明の概要】
【発明が解決しようとする課題】
【０００４】
ところで、このようにリモートコントローラが用いられるシステムでは、使用を想定していない対象者（子供等）によってリモートコントローラが操作されてしまう場合がある。例えば、子供等によってリモートコントローラが操作され、この操作によって温度変更がなされてしまうと、不意に高温の湯が出湯されてしまう等の予期せぬ事態が生じる虞がある。そこで、特許文献１の技術では、リモートコントローラにチャイルドロック機能を付加しており、リモートコントローラに対して所定操作がなされたときにチャイルドロック状態に設定し、それ以降における入力を無効にしている。
【０００５】
しかしながら、特許文献１で開示されるような従来のチャイルドロック機能付き装置では、チャイルドロック状態を一旦解除して通常状態に復帰させると、特別な操作を行わない限り通常状態のまま維持されることになる。つまり、チャイルドロック状態を解除した場合、解除状態が継続し続けるため、再びチャイルドロック状態に切り替えたい場合には再度の設定操作（チャイルドロック操作）が必要となる。このため、使用者は、チャイルドロックを解除する度に再度の設定操作を行わなければならず、使用者の手間や作業負担の増大が避けられない。しかも、従来のチャイルドロック機能付き装置では、チャイルドロック状態を解除した後に、再度の設定操作（チャイルドロック状態に戻すための操作）を忘れてしまう虞もあり、再設定を忘れてしまうことによる予期せぬ入力（子供によるいたずら等）が生じやすいという問題もある。
【０００６】
本発明は、上述した課題を解決するためになされたものであり、給湯器の少なくとも一部の機能を無効化することができ、且つその無効化状態を操作によって解除することができる構成において、無効化状態を解除した後に再び無効化状態に設定する際の手間を抑えることができ、且つ、無効化状態の解除後により確実に無効化状態に復帰させやすい構成を提供することを目的とするものである。
【課題を解決するための手段】
【０００７】
第１の発明の給湯システムは、
給湯器と、
操作部を備え、前記給湯器に関する複数の機能を実行させる操作が可能とされたリモートコントローラと、
前記リモートコントローラでの操作に基づいて実行される複数の機能のうちの少なくとも一部の無効化対象機能を無効化する設定を行う無効化部と、
前記無効化部によって前記無効化対象機能が無効化されている場合に、前記操作部に対して所定の解除操作がなされることを条件として前記無効化対象機能の無効化状態を解除する解除部と、
を備え、
前記無効化部は、前記無効化対象機能の無効化状態が前記解除部によって解除された場合に、所定の時間条件が成立するまでは前記無効化対象機能の無効化解除状態を維持し、前記時間条件の成立後に前記無効化対象機能を再び無効化する構成である。
【０００８】
第２の発明の給湯システムは、
給湯器と、
操作部を備え、前記給湯器に関する複数の機能を実行させる操作が可能とされたリモートコントローラと、
前記リモートコントローラでの操作に基づいて実行される複数の機能のうちの少なくとも一部の無効化対象機能を無効化する設定を行う無効化部と、
前記無効化部によって前記無効化対象機能が無効化されている場合に、前記操作部に対して所定の解除操作がなされることを条件として、前記無効化対象機能の無効化状態を解除する解除部と、
を備え、
前記無効化対象機能の無効化状態が前記解除部によって解除された場合に、前記無効化部によって再び無効化の設定がなされるまでの間は、前記無効化対象機能の無効化解除状態が維持されるようになっており、
前記無効化部は、前記解除部によって前記無効化対象機能が前記無効化解除状態とされた後、前記操作部に対する操作が所定の解除時間を経過するまで行われない場合、又は前記無効化解除状態のときに前記操作部に対して操作がなされてから所定の解除時間を経過するまで前記操作部に対する次の操作が行われない場合に、前記無効化対象機能を再び無効化する構成である。
【発明の効果】
【０００９】
第１の発明において、無効化部は、無効化対象機能の無効化状態が解除部によって解除された場合に、所定の時間条件が成立するまでは無効化対象機能の無効化解除状態を維持し、所定の時間条件の成立後に無効化対象機能を再び無効化する構成となっている。
この構成では、無効化対象機能の無効化状態が解除部によって解除された場合、所定の時間条件が成立した後に、無効化部が無効化対象機能を再び無効化するため、無効化状態に再設定する手間を抑えることができる。しかも、より確実に無効化状態に復帰させることができるため、再設定を忘れてしまうことによる予期せぬ入力操作（子供などによるいたずら等）も防ぎやすくなる。
【００１０】
第２の発明において、無効化部は、解除部によって無効化対象機能が無効化解除状態とされた後、操作部に対する操作が所定の解除時間を経過するまで行われない場合、又は無効化解除状態のときに操作部に対して操作がなされてから所定の解除時間を経過するまで操作部に対する次の操作が行われない場合、の少なくともいずれかの場合に無効化対象機能を再び無効化する構成となっている。
この構成では、無効化対象機能の無効化状態が解除部によって解除された後、操作が行われない所定条件下で、無効化部が無効化対象機能を再び無効化することになる。ゆえに、無効化状態に再設定する手間を抑えることができる。しかも、より確実に無効化状態に復帰させることができるため、再設定を忘れてしまうことによる予期せぬ入力操作（子供などによるいたずら等）も防ぎやすくなる。更には、非操作状態がある程度継続した場合に無効化状態に復帰させることができるため、操作の頻度が低い時期、或いは操作が行われる可能性が低い時期に無効化状態に復帰させやすくなる。
【図面の簡単な説明】
【００１１】
【図１】図１は、実施例１に係る給湯システムを例示する概略回路図である。
【図２】図２は、実施例１に係る給湯システムを構成するコントローラ及びリモートコントローラを概略的に例示するブロック図である。
【図３】図３は、実施例１に係る給湯システムの第１リモートコントローラにおいてカバーが開いた状態を概略的に示す正面図である。
【図４】図４は、実施例１に係る給湯システムの第２リモートコントローラにおいてカバーが開いた状態を概略的に示す正面図である。
【図５】図５は、オートロックモードに設定する設定作業を説明するための説明図である。
【図６】図６（Ａ）は、リモートコントローラ毎のオートロックモード設定の有無を説明する説明図であり、図６（Ｂ）は、リモートコントローラ毎の無効化フラグの有無を説明する説明図である。
【図７】図７は、実施例１に係る給湯システムにおいていずれかのリモートコントローラがオートロックモードに設定されている場合の当該リモートコントローラでの無効化切替制御を説明する説明図である。
【図８】図８は、リモートコントローラにおける操作時の制御を説明する説明図である。
【図９】図９は、実施例２に係る給湯システムにおいていずれかのリモートコントローラがオートロックモードに設定されている場合の当該リモートコントローラでの無効化切替制御を説明する説明図である。
【発明を実施するための形態】
【００１２】
本発明の望ましい例を以下に示す。
本発明は、前記解除時間を設定する解除時間設定部と、前記操作部に対する操作に基づいて前記解除時間設定部での設定内容を変更する設定変更部と、を有していてもよい。
この構成によれば、無効化状態に復帰するまでの時間的な度合いを使用者等が任意に設定できるようになる。例えば、無効化状態に復帰するまでの時間が短すぎたり、長すぎたりする場合には、時間条件を調整してより望ましい時間間隔に変更することができるため、利便性をより一層高めることができる。
【００１３】
本発明は、前記リモートコントローラが２以上設けられ、各々の前記リモートコントローラにおいて、他のコントローラに対する音声伝送を開始するための通話スイッチがそれぞれ設けられていてもよい。この構成では、前記無効化部は、前記通話スイッチを用いた音声伝送機能を前記無効化対象機能とせずに、前記音声伝送機能以外の一部又は全部の機能を前記無効化対象機能として無効化する構成であることが望ましい。
この構成によれば、無効化部によって無効化状態に設定されている場合でも、通話スイッチを用いた音声伝送機能は無効化されずに有効に機能することになる。従って、一部機能を無効化して当該機能の意図しない動作を防ぎつつ、緊急時（例えば浴槽で体調を崩した場合など）に有効となる音声伝送機能については、継続的に機能を維持することができる。
【００１４】
本発明は、前記リモートコントローラでの前記操作部に対する操作により、前記給湯器で行われる所定動作を停止させる動作停止機能、及び前記給湯器の電源をオフ状態に切り替える電源オフ機能の少なくともいずれかを実行可能とされていてもよい。そして、前記無効化部は、前記動作停止機能及び前記電源オフ機能の少なくともいずれかの機能を前記無効化対象機能としないように外し、その外された機能以外の一部又は全部の機能を前記無効化対象機能として無効化する構成であってもよい。
この構成によれば、無効化部によって無効化状態に設定されている場合でも、動作停止機能及び電源オフ機能の少なくともいずれかの機能は無効化されないように外されることになる。従って、一部機能を無効化して当該機能の意図しない動作を防ぎつつ、システムをより安全側に導きやすい機能については継続的に機能を維持することができるため、無効化状態であっても安全性がより確保されやすくなる。
【００１５】
本発明は、前記リモートコントローラが２以上設けられ、各々の前記リモートコントローラにおいて、前記無効化部による無効化設定を許可する許可モードと許可しない不許可モードとに切り替え可能とされていてもよい。このような構成では、いずれかの前記リモートコントローラが前記不許可モードに切り替えられた場合、当該リモートコントローラの前記操作部に対して所定操作がなされたときに前記無効化対象機能が実行され、いずれかの前記リモートコントローラが前記許可モードとされているときにおいて当該リモートコントローラの前記無効化対象機能が前記無効化部によって無効化されている場合、当該リモートコントローラの前記操作部に対して前記所定操作がなされたときに前記無効化対象機能が実行されないことが望ましい。
この構成によれば、リモートコントローラ毎に無効化設定を許可するか否かを設定することができ、使用環境に合わせたきめ細かなモード設定が可能となるため、利便性を一層高めやすくなる。例えば、無効化設定の必要となるリモートコントローラについては許可モードに設定し、無効化設定が必要とならないリモートコントローラについては不許可モードに設定するといった使い分けも可能となる。
【００１６】
＜実施例１＞
以下、発明の一例を示す実施例１について、図面を参照して説明する。
（基本構成）
図１で示す給湯システム１は、浴槽への給湯機能と浴槽内の水の加熱機能とを備えた風呂・給湯システムとして構成され、主として、給湯側回路２と風呂側回路３とを備えており、これら給湯側回路２と風呂側回路３が給湯器を構成している。給湯側回路２は、入水管１２、出湯管１０、熱交換器６（給湯側熱交換器）などを備えており、外部から供給された水道水を加熱し出湯させる経路として機能する。また、風呂側回路３は、ガスバーナ５４（風呂バーナ）、熱交換器５６（風呂側熱交換器）、通水管６６、循環ポンプ６２、サーミスタ６４，６５などを備えており、風呂の追い炊き等に利用されるものである。
【００１７】
給湯側回路２において、入水管１２は、水入口１６からの水が流れ込む経路として構成され、出湯管１０は、湯出口１８へ湯を送り出す経路として構成される。また、熱交換器６は、ガスバーナ（給湯バーナ）４からの燃焼熱を交換する一次熱交換器７及び二次熱交換器８を備える。給湯側回路２では、二次熱交換器８の入口に、水道水を供給する構成で入水管１２が接続されており、この入水管１２には、管内の通水を検出する通水センサ３４（給湯水量センサ）が設けられている。入水管１２の下流側には、二次熱交換器８の伝熱管８ａが接続されており、その下流側には、二次熱交換器８の伝熱管８ａと一次熱交換器７の伝熱管７ａとを連結する通水管２０が接続される。更に、この通水管２０に連結された構成で一次熱交換器７の伝熱管７ａが接続され、一次熱交換器７の出口には、一次熱交換器７で加熱された湯を出湯する構成で出湯管１０が接続されている。この出湯管１０には、管内の水の温度を検出するサーミスタ２６が設けられている。
【００１８】
また、給湯燃焼室９０内において、一次熱交換器７はガスバーナ４の燃焼排気経路の上流側に配置され、二次熱交換器８は燃焼排気経路の下流側に配置されており、一次熱交換器７によって燃焼排気の顕熱を回収した後、二次熱交換器８によって潜熱を回収するように機能する。一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。また、二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００１９】
また、入水管１２と出湯管１０との間をバイパスする通水経路として、熱交換器６とは異なる通水経路として構成されたバイパス路１４が設けられている。そして、このバイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。この通水量制御弁３３は、コントローラ２２からの指示を受けて駆動軸の回転角度が制御されるモータを備えており、入水管１２を閉塞状態と全開状態との間で様々な開度に連続的に変更できる構成となっている。
【００２０】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。また、ガスバーナ５４（風呂バーナ）に接続されるガス管からの分岐管には、切替電磁弁５３が設けられている。
【００２１】
風呂側回路３において、通水管６６は、給湯側回路２からの水が入り込む経路として構成され且つ浴槽６０からの水を循環させる循環経路の少なくとも一部を構成するものである。この通水管６６は、浴槽６０側からの水を熱交換器５６側へと導くための往き配管６８と、熱交換器５６側からの水を浴槽６０側へと導くための戻り配管６７と、往き配管６８と戻り配管６７とに連結されて熱交換器５６内を通る中間配管６９とを備える。この通水管６６は、例えば追い炊き動作時に浴槽６０から引き込まれる水を往き配管６８によって熱交換器５６に導き、この熱交換器５６を通過した水を戻り配管６７によって浴槽６０に導くように循環させることが可能な循環経路として機能する。熱交換器５６は、風呂一次熱交換器５７と風呂二次熱交換器５８とを備え、通水管６６を通る水に対してガスバーナ５４（風呂バーナ）での燃焼によって生じた燃焼熱を伝達するように、循環水を加熱する構成となっている。往き配管６８は、浴槽６０と風呂一次熱交換器５７との間に配置されており、この往き配管６８には、往き配管６８を通る水の温度を検出するサーミスタ６５（風呂サーミスタ）が設けられている。
【００２２】
戻り配管６７は、風呂二次熱交換器５８と浴槽６０との間に配置されており、この戻り配管６７には、循環ポンプ６２とサーミスタ６４（風呂サーミスタ）とが設けられている。循環ポンプ６２は、通水管６６内の水を流動させる装置であり、熱交換器５６側から水を引き込み、引き込んだ水を熱交換器５６とは反対側から浴槽６０に向けて排出するように機能する。また、戻り配管６７には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。
【００２３】
また、給湯システム１には、図１、図２で示すように制御装置としてのコントローラ２２が設けられている。図２で示すように、コントローラ２２には、例えば、公知のマイクロコンピュータ等として構成される制御部２２Ａと、公知の半導体メモリ等として構成されるメモリ２２Ｂと、外部との通信を行うためのインタフェースとして構成される通信部２２Ｃとが設けられている。このコントローラ２２は、例えば図７で示す制御など、様々な制御を行い得る構成となっている。
【００２４】
図２のように、コントローラ２２には、複数のリモートコントローラ８０がコントローラ２２と通信し得る構成で接続されている。これらのリモートコントローラ８０はいずれも操作部を備えており、給湯器に関する複数の機能を実行させる操作が可能とされている。図１、図２の例では、複数のリモートコントローラ８０として、浴室内に設けられる第１リモートコントローラ８１と、浴室とは異なる場所（例えば台所等）に設けられる第２リモートコントローラ８２とが設けられている。図２のように、第１リモートコントローラ８１は、公知のマイクロコンピュータ等として構成される制御部８１Ａと、液晶表示装置等として構成される表示部８１Ｂと、押圧ボタン等の公知のスイッチが複数設けられるとともに少なくとも湯張り動作の実行開始に使用される操作部８１Ｃと、リモートコントローラ８１で生成された信号等をコントローラ２２に伝達するための通信部８１Ｄとを備えている。この第１リモートコントローラ８１の外観は、例えば図３のようになっている。図２のように、第２リモートコントローラ８２は、公知のマイクロコンピュータ等として構成される制御部８２Ａと、液晶表示装置等として構成される表示部８２Ｂと、押圧ボタン等の公知のスイッチが複数設けられてなる操作部８２Ｃと、リモートコントローラ８２で生成された信号等をコントローラ２２に伝達するための通信部８２Ｄとを備えている。この第２リモートコントローラ８２の外観は、例えば図４のようになっている。
【００２５】
第１リモートコントローラ８１と第２リモートコントローラ８２は、オンオフ状態が連動するようになっている。例えば、第１リモートコントローラ８１及び第２リモートコントローラ８２のいずれもが運転オフ状態のときに第１リモートコントローラ８１の運転切替ボタン９１Ａ又は第２リモートコントローラ８２の運転切替ボタン９２Ａが押されたときには、第１リモートコントローラ８１及び第２リモートコントローラ８２がいずれも運転オン状態に切り替わる。また、第１リモートコントローラ８１及び第２リモートコントローラ８２がいずれも運転オン状態のときに運転切替ボタン９１Ａ又は運転切替ボタン９２Ａが押されたときには、第１リモートコントローラ８１及び第２リモートコントローラ８２がいずれも運転オフ状態に切り替わる。第１リモートコントローラ８１及び第２リモートコントローラ８２のいずれかが運転オン状態のときには、コントローラ２２は、ガスバーナ４を動作させ得るように機能し、通水センサ３４（給湯水量センサ）による通水検知時にガスバーナ４を動作させて湯を生成する。一方、第１リモートコントローラ８１及び第２リモートコントローラ８２がいずれも運転オフ状態のときには、コントローラ２２は、ガスバーナ４を動作させず、入水管１２の通水時でも、非通水時でも、湯の生成がなされないようになっている。
【００２６】
（オートロックモードの設定）
次に、オートロックモードに設定するための設定操作について説明する。
本構成では、第１リモートコントローラ８１及び第２リモートコントローラ８２のいずれにおいても、入力操作によってオートロックモード（無効化部による無効化設定を許可する許可モード）と通常モード（無効化部による無効化設定を許可しない不許可モード）とに切り替え可能とされている。更に、いずれかのリモートコントローラ８０をオートロックモード（許可モード）に設定する場合には、このリモートコントローラ８０での入力操作によって「解除時間」を設定することができるようになっている。
【００２７】
図４で示す第２リモートコントローラ８２の操作部８２Ｃにおいてオートロックモードに設定する設定操作が行われた場合、第２リモートコントローラ８２がオートロックモードとなる。例えば、第２リモートコントローラ８２では、図４のような通常の操作モードとなっているとき、第１ボタン９２Ｗ及び第２ボタン９２Ｘは設定温度の切り替えに使用されるようになっている。一方で、通常の操作モードのときにメニューボタン９２Ｚが押された場合、設定モードに切り替わり、この設定モードでは、第１ボタン９２Ｗ及び第２ボタン９２Ｘが設定温度の切り替え以外の用途に使用可能となる。設定モードに切り替わった直後は設定モードにおける第１の詳細モード（設定内容選択モード）となり、図５（Ａ）のように時刻表示領域１３４に数値が表示される。このように設定内容選択モードとなって時刻表示領域１３４に数値が表示された状態では、第１ボタン９２Ｗを押す毎に時刻表示領域１３４の数値が増大し、第２ボタン９２Ｘを押す毎に時刻表示領域１３４の数値が減少するように表示が切り替わる。そして、図５（Ｂ）のように時刻表示領域１３４に所定の数値（例えば「０９」）が表示された状態で確定ボタン９２Ｙ（図４）が押された場合には、設定モードにおける第２の詳細モード（オートロック選択モード）に切り替わる。
【００２８】
図５（Ｂ）のような表示状態で確定ボタン９２Ｙ（図４）が押され、第２の詳細モード（オートロック選択モード）に切り替わると、図５（Ｃ）のように温度表示領域１３０の表示が点滅する。このオートロック選択モードでは、第１ボタン９２Ｗ（図４）が押される毎に温度表示領域１３０の表示が「ＯＦＦ」「５」「１０」「１５」の順に切り替わるようになっている。また、オートロック選択モードでは、第２ボタン９２Ｘを押す毎に温度表示領域１３０の表示が逆の順（「１５」「１０」「５」「ＯＦＦ」の順）に切り替わる。例えば、図５（Ｃ）のような表示状態のときに第１ボタン９２Ｗ（図４）が押されると、図５（Ｄ）のように表示が切り替わり、「５」の表示が点滅する。オートロック選択モードのときに温度表示領域１３０に表示される情報（点滅する情報）は、オートロックモードの設定の有無と、オートロックモードに設定されたときの解除時間を示す情報となっている。
【００２９】
そして、オートロック選択モードにおいて、「ＯＦＦ」「５」「１０」「１５」のいずれかが点滅して表示されている状態で、確定ボタン９２Ｙが押された場合には、確定ボタン９２Ｙが押された際の表示内容（点滅する表示内容）に設定される。例えば、図５（Ｃ）のようにオートロック選択モードにおいて、温度表示領域１３０に「ＯＦＦ」が表示された状態で確定ボタン９２Ｙが押された場合には、第２リモートコントローラ８２は、オートロックがオフ設定となり、通常モード（無効化部による無効化設定を許可しない不許可モード）に設定される。一方、温度表示領域１３０に「数値」が表示された状態で確定ボタン９２Ｙが押された場合には、第２リモートコントローラ８２は、オートロックモード（無効化部による無効化設定を許可する許可モード）に設定され、「解除時間」は、温度表示領域１３０に表示された数値で示される「分」となる。例えば、図５（Ｄ）のように温度表示領域１３０に「５」が点滅して表示された状態で確定ボタン９２Ｙが押された場合には、第２リモートコントローラ８２は、オートロックモードに設定され、解除時間は５分となる。また、温度表示領域１３０に「１０」が点滅して表示された状態で確定ボタン９２Ｙが押された場合にも第２リモートコントローラ８２はオートロックモードに設定され、この場合の解除時間は１０分となる。同様に、温度表示領域１３０に「１５」が表示された状態で確定ボタン９２Ｙが押された場合にも第２リモートコントローラ８２はオートロックモードに設定され、この場合の解除時間は１５分となる。このようにオートロック選択モードにおいて設定がなされた場合、図２で示すコントローラ２２のメモリ２２Ｂには、第２リモートコントローラ８２におけるオートロックモードの設定の有無（オートロック設定のオン又はオフ）を特定する情報が記憶される。また、第２リモートコントローラ８２をオートロックモードに設定する旨の情報を記憶する場合、同時期に設定された解除情報も対応付けて記憶される。このように設定情報が記憶されるため、メモリ２２Ｂを参照すれば、第２リモートコントローラ８２がオートロックモードに設定されているか否かを把握することができ、オートロックモードに設定されている場合には解除時間を把握することができる。
【００３０】
なお、上述した説明では、第２リモートコントローラ８２でのオートロックモード及び通常モードの設定方法を例示したが、第１リモートコントローラ８１でも、第２リモートコントローラ８２と同様の方法でオートロックモード又は通常モードに設定することができ、オートロックモードに設定する場合には解除時間を設定することができる。そして、図２で示すコントローラ２２のメモリ２２Ｂには、第１リモートコントローラ８１におけるオートロックモードの設定の有無（オートロック設定のオン又はオフ）を特定する情報が記憶され、第１リモートコントローラ８１をオートロックモードに設定する旨の情報を記憶する場合、解除情報も対応付けて記憶されることになる。このように、メモリ２２Ｂには、それぞれのリモートコントローラ８０での設定内容が区別して記憶され、例えば、図６（Ａ）のようにリモートコントローラ８０毎の設定内容を把握可能となっている。
【００３１】
なお、コントローラ２２は、解除時間を設定する解除時間設定部として機能する。また、コントローラ２２は、設定変更部の一例に相当し、操作部８１Ｃ，８２Ｃに対する操作に基づいて解除時間設定部での設定内容を変更するように機能する。
【００３２】
（オートロックモード中の切替制御）
次に、図７等を参照し、オートロックモード中の切替制御について説明する。
本構成では、コントローラ２２によって図７のような制御が実行されるようになっている。この図７の制御は、例えば、いずれかのリモートコントローラ８０がオートロックモードに設定された場合、そのリモートコントローラ８０に対応付けて実行される。例えば、第２リモートコントローラ８２がオートロックモードに設定された場合、第２リモートコントローラ８２に対応する図７の制御が実行され、第２リモートコントローラ８２における一部機能が無効化状態で維持される（Ｓ１）。このように無効化状態となっている場合、その後のＳ２において無効化解除操作があったか否かを判断し、無効化解除操作がない場合にはＳ２でＮｏに進んでＳ１に戻ることになる。つまり、第２リモートコントローラ８２がオートロックモードに設定されて図７の処理が実行されると、無効化解除操作があるまではＳ１、Ｓ２の処理が繰り返され、一部機能が無効化された状態で維持されることになる。
【００３３】
Ｓ１の処理で無効化される一部機能は様々な機能であり、少なくとも、操作部８２Ｃの操作に応じて給湯温度を変更する機能、操作部８２Ｃの操作に応じて風呂の自動湯張りを行う機能、操作部８２Ｃの操作に応じて風呂のおいだきを行う機能、操作部８２Ｃの操作に応じて風呂の湯張りの予約を行う機能などが無効される。つまり、操作部８２Ｃが操作されても、これらの機能は実行されないようになる。
【００３４】
一方、Ｓ１で一部機能が無効化されても、通話スイッチ９２Ｂを用いた音声伝送機能、操作部８２Ｃに対する操作により、給湯器で行われる所定動作を停止させる動作停止機能、及び給湯器の電源をオフ状態に切り替える電源オフ機能は実行可能となる。即ち、これら音声伝送機能、動作停止機能、電源オフ機能は上記一部機能に含まれていない。
【００３５】
第２リモートコントローラ８２がオートロックモードに設定されて図７の処理が実行された後、無効化解除操作があった場合には、Ｓ２にてＹｅｓに進み、タイマをスタートさせる（Ｓ３）。このＳ３の処理が実行されることで、無効化解除状態となってからの時間が計測されることになる。なお、無効化解除操作は様々な操作方法とすることができ、複数の操作スイッチを同時期に操作する方法であることが望ましい。本構成では、例えば、「メニューボタン９２Ｚと第２ボタン９２Ｘとが同時に所定時間押される操作」が無効化解除操作であり、一部機能が無効化された状態でこのような無効化解除操作がなされた場合、Ｓ３でタイマをスタートさせ、Ｓ４で無効化解除状態を維持する。Ｓ３、Ｓ４の後には、タイマでの計測時間が一定時間（第２リモートコントローラ８２に対応付けて設定された解除時間）に達するまではＳ４、Ｓ５でＮｏの処理を繰り返し、無効化解除状態を維持する。このように無効化解除状態となった場合、Ｓ１で無効化された機能が有効になる。例えば、操作部８２Ｃの操作に応じて給湯温度を変更する機能、操作部８２Ｃの操作に応じて風呂の自動湯張りを行う機能、操作部８２Ｃの操作に応じて風呂のおいだきを行う機能、操作部８２Ｃの操作に応じて風呂の湯張りの予約を行う機能などが有効になり、操作部８２Ｃの操作によってこれらの機能を実施できるようになる。
【００３６】
そして、Ｓ３でタイマがスタートした後、タイマでの計測時間が一定時間（設定された解除時間）に達した場合にはＳ５でＹｅｓに進み、Ｓ１戻って一部機能の無効化状態を維持する。このように、無効化解除操作によって無効化状態が解除されてから一定時間（解除時間）を経過した場合には、再び一部機能を無効化させる状態に戻り、その無効化状態で維持されるようになっている。なお、第２リモートコントローラ８２がオートロックモードに設定された場合の第２リモートコントローラ８２に対応する図７の制御は、例えば、第２リモートコントローラ８２が通常モードに切り替えられた場合に終了することになる。
【００３７】
なお、上述した説明では、第２リモートコントローラ８２がオートロックモードに設定された場合に、第２リモートコントローラ８２に対応する図７の制御が実行され、第２リモートコントローラ８２における一部機能が無効化状態で維持される例を説明したが、第１リモートコントローラ８１がオートロックモードに設定された場合でも、第１リモートコントローラに対応する図７の制御が同様に行われる。この場合、Ｓ１の処理では、操作部８１Ｃ（図３）の操作に応じて給湯温度を変更する機能、操作部８１Ｃの操作に応じて風呂温度、風呂の湯量、風呂の保温時間を変更する機能、操作部８１Ｃの操作に応じて風呂の自動湯張りを行う機能、操作部８１Ｃの操作に応じて風呂のおいだきを行う機能、操作部８１Ｃの操作に応じて風呂の湯張りの予約を行う機能、操作部８１Ｃの操作に応じて、たし湯やさし水を行う機能などが無効される。つまり、操作部８１Ｃが操作されても、これらの機能は実行されないようになる。なお、第１リモートコントローラに対応する図７の制御でも、操作部８１Ｃにおいて所定の無効化解除操作が行われた場合、Ｓ２にてＹｅｓに進んでタイマをスタートさせ（Ｓ３）、タイマでの計測時間が一定時間（第１リモートコントローラ８１に対応付けて設定された解除時間）に達するまでは、Ｓ１で設定された無効化設定を解除して無効化解除状態を維持し、タイマでの計測時間が一定時間（設定された解除時間）に達した場合には、Ｓ１戻って再び無効化状態を維持する。
【００３８】
以上のように、本構成では、コントローラ２２が無効化部の一例に相当し、リモートコントローラ８０での操作に基づいて実行される複数の機能のうちの少なくとも一部の無効化対象機能を無効化する設定を行うようになっている。また、コントローラ２２は、解除部の一例に相当し、無効化部によって無効化対象機能が無効化されている場合に、操作部に対して所定の解除操作がなされることを条件として無効化対象機能の無効化状態を解除するように機能する。更に、無効化部に相当するコントローラ２２は、無効化対象機能の無効化状態が解除部によって解除された場合に、所定の時間条件が成立するまで（具体的には、解除操作によって無効化状態が解除されてから、設定された「解除時間」が経過するまで）は無効化対象機能の無効化解除状態を維持し、時間条件の成立後に無効化対象機能を再び無効化する構成となっている。
【００３９】
また、本構成では、リモートコントローラ８０が２つ設けられ、第１リモートコントローラ８１には、第２リモートコントローラ８２に対する音声伝送を開始するための通話スイッチ９１Ｂが設けられている。また、第２リモートコントローラ８２には、第１リモートコントローラ８１に対する音声伝送を開始するための通話スイッチ９２Ｂが設けられている。そして、無効化部は、通話スイッチ９１Ｂ，９２Ｂを用いた音声伝送機能を無効化対象機能とせずに、音声伝送機能以外の一部又は全部の機能を無効化対象機能として無効化する構成となっている。この構成によれば、一部機能を無効化して当該機能の意図しない動作を防ぎつつ、緊急時（例えば浴槽で体調を崩した場合など）に有効となる音声伝送機能については、継続的に機能を維持することができる。
【００４０】
また、本構成では、リモートコントローラ８０での操作部に対する操作により、給湯器で行われる所定動作を停止させる動作停止機能、及び給湯器の電源をオフ状態に切り替える電源オフ機能の少なくともいずれかを実行可能とされている。そして、無効化部は、動作停止機能及び電源オフ機能の少なくともいずれかの機能を無効化対象機能としないように外し、その外された機能以外の一部又は全部の機能を無効化対象機能として無効化する構成となっている。この構成によれば、一部機能を無効化して当該機能の意図しない動作を防ぎつつ、システムをより安全側に導きやすい機能については継続的に機能を維持することができるため、無効化状態であっても安全性がより確保されやすくなる。
【００４１】
（操作時の制御）
次に、図８等を参照し、リモートコントローラ８０が操作された時の操作時の制御について説明する。
本構成では、いずれかのリモートコントローラ８０が操作されたときに、その操作されたリモートコントローラ８０から操作内容を伝達する信号がコントローラ２２に送信されるようになっている。そして、いずれかのリモートコントローラ８０が操作され、操作信号がコントローラ２２に送信されたときに、コントローラ２２によって図８の処理が実行される。
【００４２】
コントローラ２２は、図８の処理を開始すると、まず送信されてきた操作信号の送信元のリモートコントローラ８０がオートロックモードに設定されているか否かを判断する（Ｓ１１）。送信元のリモートコントローラ８０がオートロックモードに設定されていない場合、Ｓ１１にてＮｏに進み、操作信号に応じた機能を実行する（Ｓ１５）。例えば、操作信号が、「給湯温度を１度上げる操作信号」であれば、その操作信号に従い、給湯温度を１度上げるように再設定する。
【００４３】
一方、送信元のリモートコントローラ８０がオートロックモードに設定されている場合、Ｓ１１にてＹｅｓに進み、送信元のリモートコントローラ８０が無効化状態に設定されているか否かを判断する。送信元のリモートコントローラ８０について図７の処理が実行されており、Ｓ１、Ｓ２の処理が繰り返し行われている場合には、Ｓ１２にてＹｅｓに進む。また、送信元のリモートコントローラ８０について図７の処理が実行され、Ｓ４、Ｓ５の処理が繰り返し行われている場合には、Ｓ１２にてＮｏに進む。Ｓ１２にてＮｏに進む場合、操作信号に応じた機能を実行する（Ｓ１５）。
【００４４】
Ｓ１２でＹｅｓに進む場合、上述した操作信号で特定される操作が、無効化制御外の操作か否か、即ち、無効化対象となる一部機能を実行するための操作でないか判断する（Ｓ１３）。操作信号で特定される操作が、無効化対象となる一部機能を実行するための操作でない場合（例えば、通話機能を実施するための操作や、電源オフを実施するための操作などである場合）、Ｓ１３にてＹｅｓに進む。Ｓ１３にてＹｅｓに進む場合、操作信号に応じた機能を実行する（Ｓ１５）。Ｓ１３にてＮｏに進む場合、即ち、操作信号で特定される操作が、無効化対象となる一部機能を実行するための操作である場合、Ｓ１４にてその操作を無効化する。つまり、この場合には、操作信号に応じた操作を行わないことになる。
【００４５】
このように、本構成では、各々のリモートコントローラ８０において、それぞれ独立した形で、無効化部による無効化設定を許可する許可モード（オートロックモード）と許可しない不許可モード（通常モード）とに切り替え可能とされている。そして、いずれかのリモートコントローラ８０が通常モード（不許可モード）に切り替えられている場合、当該リモートコントローラ８０の操作部に対して所定操作（無効化対象機能を実施するために予め決められた操作）がなされたときには、Ｓ１１にてＮｏに進むことになるため、Ｓ１５にて無効化対象機能が実行されることになる。一方、このリモートコントローラ８０がオートロックモード（許可モード）とされているときにおいて当該リモートコントローラ８０の無効化対象機能が無効化部によって無効化されている場合には、Ｓ１１にてＹｅｓ、Ｓ１２にてＹｅｓに進むことになる。このような場合、当該リモートコントローラ８０の操作部に対して所定操作（無効化対象機能を実施するために予め決められた操作）がなされているときには、Ｓ１３にてＮｏに進むことになるため、無効化対象機能が実行されないことになる。
【００４６】
そして、このように構成されているため、リモートコントローラ毎に無効化設定を許可するか否かを設定することができ、使用環境に合わせたきめ細かなモード設定が可能となるため、利便性を一層高めやすくなる。例えば、無効化設定の必要となるリモートコントローラについては許可モードに設定し、無効化設定が必要とならないリモートコントローラについては不許可モードに設定するといった使い分けも可能となる。
【００４７】
＜実施例２＞
次に、実施例２について説明する。
実施例２は、図７の処理を図９の処理に変更した点のみが実施例１と異なり、それ以外は実施例１と同様となっている。よって、実施例１と異なる図９の処理を重点的に説明し、実施例１と同様の構成については詳細な説明は省略する。
【００４８】
本構成では、コントローラ２２によって図９のような制御が実行されるようになっている。この図９の制御は、例えば、いずれかのリモートコントローラ８０がオートロックモードに設定された場合、そのリモートコントローラ８０に対応付けて実行される。例えば、第２リモートコントローラ８２がオートロックモードに設定された場合、第２リモートコントローラ８２に対応する図９の制御が実行され、第２リモートコントローラ８２における一部機能が無効化状態で維持される（Ｓ２１）。なお、図９の制御において、Ｓ２１、Ｓ２２、Ｓ２３、Ｓ２４、Ｓ２７の処理は、図７の制御における、Ｓ１、Ｓ２、Ｓ３、Ｓ４、Ｓ５の処理とそれぞれ同一となっている。
【００４９】
図９の処理では、Ｓ２４にて無効化解除状態を維持した後、Ｓ２５において、いずれかのリモートコントローラ８０で操作がなされたか否かを判断し、操作があった場合にはＳ２５にてＹｅｓに進み、Ｓ２３でスタートしたタイマの計測をリセットしている（Ｓ２６）。そして、Ｓ２３に戻ってタイマをスタートさせ、再び時間計測を開始している。また、Ｓ２３でタイマをスタートさせ、一定時間（解除時間）を経過するまでの間にリモートコントローラ８０での操作がなされない場合には、Ｓ２５でＮｏ、Ｓ２７でＮｏに進む処理が繰り返されることになる。そして、Ｓ２３でタイマをスタートさせてから、リモートコントローラ８０での操作がなされずに一定時間（解除時間）を経過した場合には、Ｓ２７にＹｅｓに進み、Ｓ２１に戻って一部機能を無効化するように再設定する。
【００５０】
以上のように、本構成では、無効化対象機能の無効化状態が解除部によって解除された場合に、無効化部によって再び無効化の設定がなされるまでの間は、無効化対象機能の無効化解除状態が維持されるようになっている。そして、無効化部は、解除部によって無効化対象機能が無効化解除状態とされた後、操作部に対する操作が所定の解除時間を経過するまで行われない場合、又は無効化解除状態のときに操作部に対して操作がなされてから所定の解除時間を経過するまで操作部に対する次の操作が行われない場合に、無効化対象機能を再び無効化する構成となっている。このような構成でも、実施例１と同様の効果が得られる。更には、非操作状態がある程度継続した場合に無効化状態に復帰させることができるため、操作の頻度が低い時期、或いは操作が行われる可能性が低い時期に無効化状態に復帰させやすくなる。
【００５１】
＜他の実施例＞
本発明は上述した実施例に限定されるものではなく、発明の思想を逸脱しない範囲で様々に変更することができる。
【００５２】
上述した実施例では、第１リモートコントローラ８１及び第２リモートコントローラ８２のそれぞれで無効化設定を行い得る構成を例示したが、いずれか一方のコントローラのみが無効化可能となっていてもよい。
【００５３】
上述した実施例では、第１リモートコントローラ８１及び第２リモートコントローラ８２のそれぞれで独立して無効化設定を行い得る構成を例示したが、いずれか一方のコントローラにおいて無効化設定がなされた場合、両コントローラで連動して無効化設定がなされてもよい。
【００５４】
上述した実施例では、リモートコントローラが２つ設けられた例を示したが、３以上設けられていてもよい。この場合、各リモートコントローラにおいて独立してオートロックモードに設定可能であってもよく、全てのリモートコントローラが連動してオートロックモードに設定される構成であってもよい。
【符号の説明】
【００５５】
１…給湯システム
２…給湯側回路（給湯器）
３…風呂側回路（給湯器）
２２…コントローラ（無効化部、解除部、解除時間設定部、設定変更部）
８１…第１リモートコントローラ（リモートコントローラ）
８１Ｃ…操作部
８２…第２リモートコントローラ（リモートコントローラ）
８２Ｃ…操作部
９１Ｂ，９２Ｂ…通話スイッチ
【図１】
2016223714.tif 000003
【図２】
2016223714.tif 000004
【図６】
2016223714.tif 000005
【図７】
2016223714.tif 000006
【図８】
2016223714.tif 000007
【図９】
2016223714.tif 000008
【図３】
2016223714.tif 000009
【図４】
2016223714.tif 000010
【図５】
2016223714.tif 000011